(57)【要約】【課題】報知音の音量を制御できる婦人体温計を提供することを目的とする。【解決手段】体温を測定し測温データを出力する測定手段と、表示手段と、報知音を発生する報知手段と、前記測温データから予測値を算出し、確定された予測値を前記表示手段に表示させ、実測が終了した場合に実測値を表示手段に表示させる制御部と、を有し、制御部は、前記予測値が確定された場合に発生する報知音の音量と、前記実測が終了した場合に発生する報知音の音量とを異ならせるように前記報知手段を制御する。【選択図】図１
2008151566.tif 000002
【特許請求の範囲】
【請求項１】
体温を測定し測温データを出力する測定手段と、
表示手段と、
報知音を発生する報知手段と、
前記測温データから予測値を算出し、確定された予測値を前記表示手段に表示させ、実測が終了した場合に実測値を表示手段に表示させる制御部と、
を有し、
制御部は、前記予測値が確定された場合に発生する報知音の音量と、前記実測が終了した場合に発生する報知音の音量とを異ならせるように前記報知手段を制御する
ことを特徴とする婦人体温計。
【請求項２】
報知音の音量に関するデータを記録する記録手段と、
を更に有し、
前記制御部は、前記報知音の音量に関するデータに従って前記報知手段を制御することを特徴とする請求項１に記載の婦人体温計。
【請求項３】
報知音の音量を設定するための設定手段を更に有し、
前記設定手段は、前記予測値が確定された場合に発生する報知音の音量と、前記実測が終了した場合に発生する報知音の音量とをそれぞれ多段階に設定できることを特徴とする請求項１または２に記載の婦人体温計。
【請求項４】
報知音の音量を設定するための設定手段を有し、
前記設定手段は、報知音を発生する時刻を設定可能であり、設定された時刻に発生する報知音の音量を多段階に設定できることを特徴とする請求項１〜３のいずれか１項に記載の婦人体温計。
【発明の詳細な説明】
【技術分野】
【０００１】
本発明は、婦人体温計に関する。
【背景技術】
【０００２】
従来の婦人体温計としては、予測算出完了時及び実測完了時等にブザーを鳴らすものがある。例えば、特許文献１（特開２０００−１１１４１５号公報）は、予測が成立するとブザーが鳴り（段落番号００５７）、本計測開始から５分で定時ブザーを鳴動させ、予測表示値と実測値を２秒間隔で表示させる（段落番号００６７〜００６９）ことを開示する。
【特許文献１】特開２０００−１１１４１５号公報
【発明の開示】
【発明が解決しようとする課題】
【０００３】
しかしながら、従来の婦人体温計では、予測算出完了時および実測完了時等の報知方法として、常に、固定された音量で報知音が鳴る。例えば、実測機能しか使用しない場合でも予測完了時に報知音がなってしまう。また、予測機能しか使用しない場合でもユーザーが必要と考える音量以上で報知音がなってしまう。即ち、ユーザーが早朝の静かにしておきたいと思う場合にも一定の音量で予測算出完了時および実測完了時等に報知音が鳴るという問題があった。
【０００４】
本発明は、報知音の音量を制御できる婦人体温計を提供することを目的とする。
【課題を解決するための手段】
【０００５】
本発明は上記目的を達成するため、体温を測定し測温データを出力する測定手段と、表示手段と、報知音を発生する報知手段と、測温データから予測値を算出し、確定された予測値を表示手段に表示させ、実測が終了した場合に実測値を表示手段に表示させる制御部と、を有し、制御部は、予測値が確定された場合に発生する報知音の音量と、実測が終了した場合に発生する報知音の音量とを異ならせるように報知手段を制御する。
【発明の効果】
【０００６】
本発明によれば、婦人体温計の報知音の音量を制御できる。
【発明を実施するための最良の形態】
【０００７】
以下に図面を参照して、本発明の好適な実施形態を例示的に詳しく説明する。
【０００８】
図１は本発明の一実施形態に係る婦人体温計の構成を示す図である。婦人体温計は、その機能として、感温素子１０、信号変換部１１、中央処理装置（ＣＰＵ）１２、液晶表示器（ＬＣＤ）２０１、記憶部１４、電源部１５、発振部１６、低周波増幅部１７、ブザー１８、操作キー部１９等から構成される。尚、本実施形態において、測温部と装置本体とが分離可能な分離型婦人体温計を例に説明する。しかし、本発明は、測温部と装置本体とが同一の筐体に納められた一体型の婦人体温計にも適用可能である。
【０００９】
本実施形態において、感温素子１０及び信号変換部１１は測温部（本発明の「測定手段」に相当）である。液晶表示器２０１は本発明の「表示手段」に相当する。ブザー１８は、本発明の「報知手段」に相当する。中央処理装置１２は、本発明の「制御部」に相当する。
【００１０】
感温素子１０は、生体の温度情報（体温）を電気抵抗値へ変換する。信号変換部１１は、感温素子１０の電気抵抗値信号を中央処理装置１２が演算し易い信号（測温データ）へ変換し出力する。
【００１１】
そして、中央処理装置１２は、測温データを処理し、液晶表示器２０１に測定値を表示させたり、記憶部１４に測定値を記録させたりする。液晶表示器２０１は、中央処理装置１２からの表示指示情報に従い、各種情報を表示する。記憶部１４は、毎日の測定値を指定日数分記録・保持する。尚、測定値としては、測温データから算出し、確定された予測値または実測が終了した場合に得た実測値がある。
【００１２】
発振部１６は、測定が終了等した場合等に鳴らすブザー１８を動作させるための基本波形の信号を作り出す。低周波増幅部１７は、発振部１６から出力された信号を電力増幅する。ブザー１８は、低周波増幅部１７により電力増幅された信号を音へ変換する。
【００１３】
操作キー部１９（本発明の「設定手段」に相当）は、ユーザーの希望する処理を中央処理装置１２が理解できる形に変換・伝達する。電源部１５は、各構成要素への電力を供給する。尚、電源部１５としては、交流を直流に変換する変換器や電池を用いることができる。また、中央処理装置１２は、操作キー部１９を介したユーザーからの指示による各種処理を実行し、液晶表示器２０１に表示する情報を液晶表示器２０１へ転送する。
【００１４】
図２は本発明の一実施形態に係る婦人体温計の外観を表す図である。１０１〜１１０は、操作キー部１９に相当し、婦人体温計の各種操作を実行するための操作キーである。婦人体温計は、アラーム・音量設定キー１０１、メモ入力キー１０２、スクロール・選択キー（左）１０３、スクロール・選択キー（右）１０４、取り消しキー１０５、確定キー１０６、時刻設定キー１０７、目盛設定キー１０８、バックライトキー１０９、電源キー１１０の複数の操作キーを有する。２０１は、液晶表示器である。測温部３０１は、感温素子１０及び信号変換部１１等から構成され、婦人体温計本体から取り出し生体に接触させて使用される。
【００１５】
＜予測時と実測時の動作シーケンス＞
図３は、婦人体温計の動作シーケンスを説明する図である。図３を参照して、以下、婦人体温計の予測時及び実測時の動作シーケンスについて説明する。
【００１６】
始めに、ユーザーがプローブを口に挿入すると、中央処理装置１２はプローブの測温部３０１を介して温度上昇を検出し、計測処理を開始する。
【００１７】
予測値が確定する前に温度上昇の異常が発生した場合（Ｓ１０のＹＥＳ）に、中央処理装置１２はエラー処理を行い、測温を停止する（Ｓ１１）。この場合に、中央処理装置１２は発振部１６を動作させ、ブザー１８により、エラーが発生したことを報知する（Ｓ１１）。例えば、温度上昇の異常は、ユーザーがプローブを口から外した場合に発生する。
【００１８】
予測値が確定する前に温度上昇の異常が発生しなかった場合（Ｓ１０のＮＯ）に、中央処理装置１２は予測演算を行い、予測値を確定する（Ｓ１２）。
【００１９】
この場合に、中央処理装置１２は発振部１６を動作させ、ブザー１８により、予測が終了したことを報知する（Ｓ１３）。また、中央処理装置１２は、予測値を液晶表示器２０１に表示させ、予測処理を終了し、実測処理をのみを実行する（Ｓ１３）。
【００２０】
所定の条件が成立する前に温度上昇の異常が発生した場合（Ｓ１４のＹＥＳ）には、中央処理装置１２は測温を強制終了し、測温が強制的に終了したことを報知する（Ｓ１５）
。また、中央処理装置１２は予測値を測定値として確定し、液晶表示器２０１に“予測値"として表示し、測定値を記憶部１４に記録させる（Ｓ１５）。例えば、温度上昇の異常
は、ユーザーがプローブを口から外した場合に発生する。また、所定の条件とは、温度計測をサンプリングし、２回続けて０．１℃以内に計測した温度が収束した場合等をいう。即ち、所定の条件の成立は、実測温度が安定してきたことを示す。
【００２１】
所定の条件が成立した場合、液晶表示器２０１の表示を“予測値"からその時点での実
測温度（ピークホールド値）に変更し実測温度を液晶表示器２０１に表示する（Ｓ１６）。
【００２２】
測定開始から５分経過前に温度上昇の異常が発生した場合には、中央処理装置１２は温度上昇が異常であると判定し（Ｓ１７のＹＥＳ）、測温を強制的に終了する。また、中央処理装置１２は温度上昇の異常と判定される直前の実測温度のピークホールド値を“実測値"として確定し、液晶表示器２０１に実測値を表示し、実測値を記憶部１４に記録させ
る（Ｓ１８）。
【００２３】
測定開始から５分経過した場合、中央処理装置１２は測定中の実測温度のピークホールド値を“実測値"として確定し、実測が終了したことを報知する（Ｓ１９）。また、実測
値を液晶表示器２０１に表示し、実測値を記憶部１４に記録させる（Ｓ１９）。なお、上記Ｓ１８では、実測値の表示を行い、実測値を記憶部１４に記憶させるが、これに限らず、実測表示を行わずに５分測定終了まで予測値を表示しても良い。この場合、５分経過前に温度上昇の異常が発生した場合には、それまでの予測値が記憶される。
【００２４】
＜音量設定＞
図４はアラーム・報知音量設定の一例を示すフローチャートである。図５から図１７はアラーム・報知音量設定時の婦人体温計の液晶表示器２０１の表示例を示す図である。尚、中央処理装置１２は、以下説明する手順等で記憶部１４に記録された設定音量（報知音の音量に関するデータ）を読み出し、ブザー１８を制御する。
【００２５】
ユーザーが電源キー１１０を押した後、アラーム・音量設定キー１０１を長押しする（Ｓ２０）。中央処理装置１２は、アラーム時刻設定（時間）を要求するために、液晶表示器２０１に図５に示すようなアラーム時刻設定画面を表示させる。例えば、中央処理装置１２が時刻表示（ＡＭ０：００）を点滅表示させる。ユーザーが、アラーム希望時刻（時間）を設定するために、スクロール・選択キー（左）１０３、スクロール・選択キー（右）１０４を操作し確定キー１０６を押す。アラーム希望時刻が設定されると、中央処理装置１２はアラーム希望時刻を記憶部１４に記録する（Ｓ２１）。ここでは、アラーム希望時刻をＡＭ６：００に設定したとする。
【００２６】
＜アラーム音量の設定＞
確定キー１０６が押されると、中央処理装置１２は、処理をアラーム音量設定モードに移行させる。中央処理装置１２は、アラーム音量の設定を要求するために、液晶表示器２０１に図６に示すようなアラーム音量設定画面を表示させる。ユーザーが、アラーム希望音量を設定するために、スクロール・選択キー（左）１０３、スクロール・選択キー（右）１０４を操作し確定キー１０６を押す。アラーム希望音量が設定されると、中央処理装置１２はアラーム希望音量を記憶部１４に記録する（Ｓ２２）。ここで、アラーム音量は図６〜図９に示すように、大・中・小・ＯＦＦの多段階に設定可能である。例えば、スクロール・選択キー（左）１０３を押した場合には、大・中・小・ＯＦＦの順に液晶表示器２０１の画面が切替わり、スクロール・選択キー（右）１０４を押した場合には、ＯＦＦ・小・中・大の順に液晶表示器２０１の画面が切替わるように、中央処理装置１２は液晶表示器２０１の画面表示を制御する。
【００２７】
＜予測確定時の報知音量の設定＞
確定キー１０６が押されると、中央処理装置１２は、処理を予測確定時の報知音量設定モードに移行させる。中央処理装置１２は、予測確定時の報知音量の設定を要求するために、液晶表示器２０１に図１０に示すように、「予測」と表示させ、予測確定時の報知音量設定画面を表示させる。ユーザーが、予測確定時の報知音量を設定するために、スクロール・選択キー（左）１０３、スクロール・選択キー（右）１０４を操作し確定キー１０６を押す。予測確定時の報知音量が設定されると、中央処理装置１２は予測確定時の報知音量を記憶部１４に記録する（Ｓ２３）。ここで、アラーム音量は図１０〜図１３に示すように、大・中・小・ＯＦＦの多段階に設定可能である。例えば、スクロール・選択キー（左）１０３を押した場合には、大・中・小・ＯＦＦの順に液晶表示器２０１の画面が切替わり、スクロール・選択キー（右）１０４を押した場合には、ＯＦＦ・小・中・大の順に液晶表示器２０１の画面が切替わるように、中央処理装置１２は液晶表示器２０１の画面表示を制御する。
【００２８】
＜実測終了時の報知音量の設定＞
次に、確定キー１０６が押されると、中央処理装置１２は、処理を実測終了時の報知音量設定モードに移行させる。中央処理装置１２は、実測終了時の報知音量の設定を要求するために、液晶表示器２０１に図１４に示すように、「実測」と表示し、実測終了時の報知音量設定画面を表示させる。ユーザーが、実測終了時の報知音量を設定するために、スクロール・選択キー（左）１０３、スクロール・選択キー（右）１０４を操作し確定キー１０６を押す。実測終了時の報知音量が設定されると、中央処理装置１２は実測終了時の報知音量を記憶部１４に記録する（Ｓ２３）。ここで、アラーム音量は図１４〜図１７に示すように、大・中・小・ＯＦＦの多段階に設定可能である。例えば、スクロール・選択キー（左）１０３を押した場合には、大・中・小・ＯＦＦの順に液晶表示器２０１の画面が切替わり、スクロール・選択キー（右）１０４を押した場合には、ＯＦＦ・小・中・大の順に液晶表示器２０１の画面が切替わるように、中央処理装置１２は液晶表示器２０１の画面表示を制御する。
【００２９】
実測終了時の報知音量の設定が終了すると、中央処理装置１２はアラーム・報知音量設定モードを終了する。
【００３０】
＜報知音の制御＞
このように報知音の音量を設定可能にしたことにより、予測機能しか使用しない場合にユーザーが必要と考える音量（例えば、音量を小）で予測確定時に報知音を鳴し、実測終了時の報知音をＯＦＦに設定できる。また、実測機能しか使用しない場合に予測確定時に報知音をＯＦＦにし、実測終了時の報知音をユーザーが必要と考える音量（例えば、音量を小）に設定できる。中央処理装置１２は予測値を確定する場合に発生する報知音の音量と、実測が終了した場合に発生する報知音の音量とを異ならせるように報知手段を制御する。即ち、本実施形態によれば、報知音の音量を制御できる婦人体温計を提供できる。
【００３１】
＜変形例＞
上記例では、スクロール・選択キー（左）１０３、スクロール・選択キー（右）１０４でＯＦＦ・小・中・大の中から音量を設定する例を説明したが、更に、報知手段の報知音として、ブザー１８の他にチャイムや音楽等を選択可能に構成してもよい。また、音量以外に音色を変更できるようにし、音色を選択可能に構成しても良い。また、音量、チャイムや音楽、音色を組み合わせ選択可能に構成しても良い。
【００３２】
また、上述の説明では、報知音を各々設定する例で説明したが、婦人体温計の設定モードとして、予測重視モードや実測重視モード等を設定可能にしてもよい。この場合、予測
重視モードでは、初期設定として、予測確定時の報知音を中に設定し、実測終了時の報知音をＯＦＦに設定するように構成してもよい。また、実測重視モードでは、初期設定として、予測確定時の報知音をＯＦＦに設定し、実測終了時の報知音を中に設定するように構成してもよい。この場合においても、中央処理装置１２は予測値を確定する場合に発生する報知音の音量と、実測が終了した場合に発生する報知音の音量とを異ならせるように報知手段を制御することとなる。
【図面の簡単な説明】
【００３３】
【図１】本発明の一実施形態に係る婦人体温計の構成を示す図である。
【図２】本発明の一実施形態に係る婦人体温計の外観を表す図である。
【図３】婦人体温計の動作シーケンスを説明する図である。
【図４】アラーム・報知音量設定の一例を示すフローチャートである。
【図５】アラーム設定時の婦人体温計の液晶表示器の表示例を示す図である。
【図６】アラーム音量設定時の婦人体温計の液晶表示器の表示例を示す図である。
【図７】アラーム音量設定時の婦人体温計の液晶表示器の表示例を示す図である。
【図８】アラーム音量設定時の婦人体温計の液晶表示器の表示例を示す図である。
【図９】アラーム音量設定時の婦人体温計の液晶表示器の表示例を示す図である。
【図１０】予測確定時の報知音量設定時の婦人体温計の液晶表示器の表示例を示す図である。
【図１１】予測確定時の報知音量設定時の婦人体温計の液晶表示器の表示例を示す図である。
【図１２】予測確定時の報知音量設定時の婦人体温計の液晶表示器の表示例を示す図である。
【図１３】予測確定時の報知音量設定時の婦人体温計の液晶表示器の表示例を示す図である。
【図１４】実測終了時の報知音量設定時の婦人体温計の液晶表示器の表示例を示す図である。
【図１５】実測終了時の報知音量設定時の婦人体温計の液晶表示器の表示例を示す図である。
【図１６】実測終了時の報知音量設定時の婦人体温計の液晶表示器の表示例を示す図である。
【図１７】実測終了時の報知音量設定時の婦人体温計の液晶表示器の表示例を示す図である。
【符号の説明】
【００３４】
１０      感温素子
１１      信号変換部
１２      中央処理装置
２０１    液晶表示器
１４      記憶部
１５      電源部
１６      発振部
１７      低周波増幅部
１８      ブザー
１９      操作キー部
【図１】
2008151566.tif 000003
【図２】
2008151566.tif 000004
【図３】
2008151566.tif 000005
【図４】
2008151566.tif 000006
【図５】
2008151566.tif 000007
【図６】
2008151566.tif 000008
【図７】
2008151566.tif 000009
【図８】
2008151566.tif 000010
【図９】
2008151566.tif 000011
【図１０】
2008151566.tif 000012
【図１１】
2008151566.tif 000013
【図１２】
2008151566.tif 000014
【図１３】
2008151566.tif 000015
【図１４】
2008151566.tif 000016
【図１５】
2008151566.tif 000017
【図１６】
2008151566.tif 000018
【図１７】
2008151566.tif 000019